(57)【要約】【課題】発光手段を装着することにより夜間に着る衣服のデザイン性を高めること。【解決手段】衣服本体１と、電源部２と、電源部２から引き出される電源ライン３と、電源ライン３に接続した多数の発光素子４、４…とで構成する。衣服本体１は、ブラウスと称される種類の衣服を採用した。電源部２は、箱体２ａと、これに収納する電池２ｂと、電源スイッチ２ｃとで構成した。電源スイッチ２ｃは、箱体２ａに構成したスライドタイプのスイッチを用いている。電源ライン３は、電源部２の電池２ｂの電力を発光素子４、４…に供給する手段であり、銀色の被覆を施した導線を採用した。また各発光素子４、４…相互は電源ライン３に並列に接続した。電源ライン３には電流制限抵抗３ａを途中に装入してある。電源ライン３は、衣服本体１の前面、背面及び両袖に配してある。発光素子４、４…はほぼ半数ずつ発光色の異なる発光ダイオードを採用した。【選択図】  図１
2013100611.tif 000002
【特許請求の範囲】
【請求項１】
衣服本体と、
電源ラインに接続した、前記衣服本体の前面側、背面側及び両袖部に配置した発光素子と、
前記電源ラインに接続した、前記発光素子への電源の供給をオンオフする電源スイッチを備えた電源部と、
で構成した夜光服。
【請求項２】
前記発光素子として、発光色の異なる二種類の発光素子を採用した請求項１の夜光服。
【請求項３】
前記発光素子を点滅発光駆動するための点滅駆動手段を前記電源部に付設した請求項１又は２の夜光服。
【請求項４】
前記電源ラインを、前記衣服本体の前面側、背面側及び両袖部に配置した発光素子への電源の供給機能に加えて、前記衣服本体の前面側、背面側及び両袖部の外面上を這わせて装飾に用いたものである請求項１、２又は３の夜光服。
【発明の詳細な説明】
【技術分野】
【０００１】
本発明は、特に女性が夜におしゃれのために着る発光手段を衣服に付設した美飾用の夜光服に関するものである。
【背景技術】
【０００２】
このように発光手段を備えた美飾用の夜光服は現時点では存在していないと思われる。夜間の交通整理等において警備員や作業員が自分自身の視認性を高めるために使用する発光素子又は反射手段を備えた衣服類が知られている程度である。
【０００３】
特許文献１は、発光素子付き衣服に関するもので、複数の発光ダイオード部材を備えた発光機能付き衣服であって、前記複数の発光ダイオード部材は、前記発光機能付き衣服の前面及び背面の少なくとも一方に設置され、衣服表面に対して垂直に光を放出するように構成・設置された縦置き発光ダイオード部材と、衣服表面に平行且つ衣服装着者の側面方向外側に向けて光を放出するように構成・設置された横置き発光ダイオード部材との双方を含んでいる発光機能付き衣服である。
【０００４】
前記横置き発光ダイオード部材は、前記衣服装着者の左側面方向外側に向けて光を放出するように構成・設置された第１の横置き発光ダイオード部材と、前記衣服装着者の右側面方向外側に向けて光を放出するように構成・設置された第２の発光ダイオード部材とを含んでいるものである。
【０００５】
従ってこの発光素子付き衣服を着用して夜間の交通整理等を行った場合は、交通整理を行う警備員や警察官は、正面からばかりでなく、両側面方向からも十分にその存在が認識され得るため、そのより高い安全性が確保できることは確かであると思われる。
【０００６】
特許文献２は、点滅式夜光チョッキに関するもので、チョッキ本体と、このチョッキ本体に設けられた複数の発光ダイオード等の発光体と、チョッキ本体に装着される発光体用の電源装置とを有し、チョッキ本体を着衣して使用する点滅式夜光チョッキにおいて、前記電源装置を、充電式の蓄電池としたものである。また電源装置は、充電式の蓄電池と、ハンドルの回転操作で発電して前記蓄電池を充電するための発電機とを含み、それらの電源装置は、ケースに収められ、更にチョッキ本体には、電源装置を収納する収納部を有するように構成したものである。
【０００７】
従ってこの点滅式夜光チョッキを着用して夜間の土木作業等を行った場合には、その作業者の存在は、発光ダイオードの点滅によってドライバー等から明りょうに認識され、安全性を高めることができる。更に、この点滅式夜光チョッキは、電源が蓄電池で構成され、その充電をハンドルの回転で発電する発電機で行うことができるようになっているので、蓄電池が放電してしまった場合には、その発電機で発電して充電することができる利点もある。
【０００８】
特許文献３は、救命胴衣に関し、無機ＥＬファイバー又は発光ダイオードが固定され、これらを駆動する電源として太陽光発電による充電電池を備えた救命胴衣である。
【０００９】
従ってこれを装着していれば、船舶の遭難の場合に、例え、直ちに発見されず、翌日の晩になったような場合でも、太陽光発電により、更に充電電池に充電可能であり、翌日の晩又は翌々日晩等でも発光ダイオード等を発光させ、その位置を捜索をする者に報知することが可能になる。
【先行技術文献】
【特許文献】
【００１０】
【特許文献１】特開２００４−３０８０５０号公報
【特許文献２】特開２００６−０７０４１６号公報
【特許文献３】特開２０１１−１３６６７５号公報
【発明の概要】
【発明が解決しようとする課題】
【００１１】
本発明は、以上の従来技術のような夜間作業等における安全性の確保のためではなく、夜間に着る衣服の装飾のために光を用いるものであり、発光手段を衣服に装着することによりデザイン性を高めた夜光服を提供することを解決の課題とするものである。
【課題を解決するための手段】
【００１２】
本発明の１は、衣服本体と、電源ラインに接続した、前記衣服本体の前面側、背面側及び両袖部に配置した発光素子と、前記電源ラインに接続した、前記発光素子への電源の供給をオンオフする電源スイッチを備えた電源部とで構成した夜光服である。
【００１３】
本発明の２は、本発明の１の夜光服において、
前記発光素子として、発光色の異なる二種類の発光素子を採用したものである。
【００１４】
本発明の３は、本発明の１又は２の夜光服において、
前記発光素子を点滅発光駆動するための点滅駆動手段を前記電源部に付設したものである。
【００１５】
本発明の４は、本発明の１、２又は３の夜光服において、
前記電源ラインを、前記衣服本体の前面側、背面側及び両袖部に配置した発光素子への電源の供給機能に加えて、前記衣服本体の前面側、背面側及び両袖部の外面上を這わせて装飾に用いたものである。
【発明の効果】
【００１６】
本発明の１の夜光服によれば、女性が夜に着用する衣服として複数の発光素子をその外面に配設した衣服を構成したため、他者と明らかに区別のできる従来にない新しいデザインの衣服をとすることが可能になったものである。該衣服を構成する布の色や模様等と配列する発光素子の数や色を適切に調整することで、衣服に関して、様々なデザイン上の新たな工夫を凝らすことが可能になり、今までと全く違った衣服のデザインを創作することも可能になり、女性が夜に着る衣服のバリエーションを豊富にすることも可能になったものである。
【００１７】
本発明の２の夜光服によれば、単色の発光素子を用いる場合よりも変化を付けることが可能になり、二色の発光素子の配列を種々に変化させることで、新たな多くの態様のデザインが可能になる。またこのような二種類の発光素子と、衣服本体を構成する布地の種々の色や模様とを組み合わせることにより、更にデザインの幅を広げることが可能になる。
【００１８】
本発明の３の夜光服によれば、発光素子を点滅駆動することが可能になるため、更に変化のあるデザインとすることができる。またデザインの多様性を確保することも可能となる。
【００１９】
本発明の４の夜光服によれば、複数の発光素子ばかりでなく、これらに電源を供給する電源ラインも衣服本体の装飾手段として用いるものであり、電源ラインが、衣服の表面に存在することは普通には考えられないものであるため、非常に特異性のあるデザインとすることができる。
【図面の簡単な説明】
【００２０】
【図１】実施例の夜光服の概略正面図。
【図２】実施例の夜光服の概略背面図。
【図３】(a)は、実施例の夜光服の回路図、(b)は点滅装置を組み込んだ回路図。
【発明を実施するための形態】
【００２１】
発明を実施するための形態を実施例に基づき図面を参照しながら詳細に説明する。
【００２２】
この実施例の夜光服は、図１及び図２に示すように、基本的に、衣服本体１と、電源部２と、該電源部２から引き出される電源ライン３と、該電源ライン３に接続した多数の発光素子４、４…とで構成したものである。
【００２３】
前記衣服本体１は、図１及び図２に示したように、この実施例では、ブラウスと称される種類の衣服を採用した。もっとも衣服本体１としてはこれに限定されない。自由に種々のタイプの衣服をそれとして採用することができる。またこの衣服本体１では、木綿をその布地として用いているが、これも自由である。なお、この衣服本体１はその前面にポケット１ａを備えているものである。
【００２４】
前記電源部２は、この実施例では、図１及び図３(a)に示すように、箱体２ａと、これに収納する電池２ｂと、電源スイッチ２ｃとで構成したものである。箱体２ａは、絶縁性で電池を収納するのに適当なサイズのそれを採用する。電池２ｂは、適切な電圧と電流を確保できれば、種々のそれを採用可能であるが、できるだけ小型であることが携帯のために好ましい。この実施例では、出力電圧が９ｖの直方体状の電池を用いている。この電池としては、蓄電池を採用しても良い。
【００２５】
前記電源スイッチ２ｃは、この実施例では、箱体２ａに構成したスライドタイプのスイッチを用いている。勿論、これ以外の種々の態様のそれを自由に採用することができる。この電源スイッチ２ｃは、云うまでもなく、電源ライン３と電源部２の電池２ｂとの間に挿入して、該電池２ｂから発光素子４、４…に供給する電力を断続すべく操作する手段である。
【００２６】
前記電源部２は、以上のような構成であり、この実施例では、衣服本体１の前面に配してある前記ポケット１ａに収納して携帯可能なサイズとなっている。
【００２７】
前記電源ライン３は、図１〜図３(a)に示すように、云うまでもなく、電源部２の電池２ｂの電力を発光素子４、４…に供給する手段であり、この実施例では、銀色の被覆を施した導線を採用した。またこの電源ライン３に、前記各発光素子４、４…相互を並列に接続したものである。なお、この電源ライン３には電流制限抵抗３ａを途中に挿入してある。
【００２８】
この電源ライン３は、図１に示すように、この実施例では、衣服本体１のポケット１ａに収納した電源部２から引き出し、該衣服本体１の脇の下から右側の袖部の先端に伸ばし、該右側の袖部の先端で折返し、右肩まで戻った上で、該衣服本体１の前面では、右胸の前で２回ほど少しづらしながら円弧を描くように延長した上で、図１及び図２に示すように、右肩側から背面側に延長し、背面側の右肩側で一回、左肩側で一回円弧を描いた上で、左肩側から前面側に戻し、左胸の前でほぼ二回円弧を描くように延長し、脇の下から左袖部の先端側まで延長し、先端で折返し、左肩まで戻すように配置したものである。この電源ライン３は、適当な間隔で複数箇所で衣服本体１に縫い付け固定してある。
【００２９】
前記発光素子４、４…は、この実施例では、発光ダイオードを採用した。小電力で発光駆動可能なので好都合である。勿論豆電球等を採用することも可能である。その他の発光手段を採用することも当然可能である。この実施例ではまたほぼ半数ずつ発光色の異なる発光ダイオードを採用した。一方は赤色に発光する発光ダイオードであり、他方は青色に発光する発光ダイオードである。
【００３０】
以上の発光素子４、４…は、図１及び図２に示すように、前記電源ライン３に適宜間隔で配してあり、前記のように電源ライン３を衣服本体１に配することにより、衣服本体１の前面側、背面側及び両袖部に適当に配置されることになるものである。
【００３１】
以上の発光ダイオード４、４…における青色と赤色のそれの配置は、この実施例では、交互に配置したが、袖部が赤、胸前が青、背中が赤などと配しても良い。配列は自由である。
【００３２】
この実施例の夜光服によれば、夜にこれを着用し、必要に応じて前記電源部２の電源スイッチ２ｃをオン動作させると、衣服本体１の前面、背面及び両袖部に配した二色の発光ダイオードである発光素子４、４…が発光駆動し、従来と全く異なる新しい美観を示すことができる。従来の衣服とは明りょうに区別されるものとなる。
【００３３】
光を発すること自体が新しいが、更に青色と赤色の光が衣服に微妙な雰囲気をもたらすことにもなる。
また衣服本体１の前面、背面及び袖部に配した電源ライン３も普通の服とは全く異なる雰囲気をもたらすことになる。
【００３４】
なお、図３(b)は、電源部２に点滅駆動手段を配した他の例である。
これは、同図に示すように、この実施例では、箱体２ａの外側で、前記電源ライン３に発振器２ｄを接続し、その出力で、電源ライン３を断続するスイッチ２ｅをオンオフ制御するようにしたものである。この実施例では、発振器２ｄとして非安定マルチバイブレータを採用し、スイッチ２ｅとしては、二つの入力部を持ったアンド回路を採用したものである。発振器２ｄの出力をアンド回路の二つの入力部の内の一方に接続し、他方は、電源ライン３の+側に接続し、発振器２ｄの出力が+の時、該アンド回路の出力側に+の出力が生じるようにしたものである。発振器２ｄからは、これが発振動作している場合には、設定した周波数で+の出力が生じるので、電源ライン３にその周波数で断続的に電源が供給されることになり、発光素子４、４…を点滅駆動することができることになる。
【００３５】
以上のとおりであり、衣服本体１には配設された発光素子４、４…が点滅駆動するので、単に発光するのとは異なる新たな美観が生じることになる。
【産業上の利用可能性】
【００３６】
本発明の夜光服は服飾の製造及び販売の分野で有効に利用できる。
【符号の説明】
【００３７】
１    衣服本体
１ａ  ポケット
２    電源部
２ａ  箱体
２ｂ  電池
２ｃ  電源スイッチ
２ｄ  発振器
２ｅ  スイッチ
３    電源ライン
３ａ  電流制限抵抗
４    発光素子
【図１】
2013100611.tif 000003
【図２】
2013100611.tif 000004
【図３】
2013100611.tif 000005